(57)【要約】【課題】簡単な設計の改良で、排気散熱及び振動マッサージの効果を具備することができ、生産コストを下げることができる気圧マッサージ及び排気機能付き充気式寝座台を提供することを目的とする。【解決手段】上記の課題を解決するために、本発明は、１つの充気式寝座台と上記充気式寝座台内に配列設置した複数の空気袋とを有し、上記空気袋は、空気注入装置に連結する空気注入管を具備し、コントローラーにより、上記空気注入装置のスイッチをコントロールし、上記空気袋の充気状態をコントロールし、上記空気袋は、袋壁上に噴出孔を有する構成とされる。【選択図】        図１
2005006730.tif 000002
【特許請求の範囲】
【請求項１】
１つの充気式寝座台と上記充気式寝座台内に配列設置した複数の空気袋とを有し、
上記空気袋は、空気注入装置に連結する空気注入管を具備し、コントローラーにより、上記空気注入装置のスイッチをコントロールし、上記空気袋の充気状態をコントロールし、
上記空気袋は、袋壁上に噴出孔を有することを特徴とする気圧マッサージ及び排気機能付き充気式寝座台の構造。
【請求項２】
上記充気式寝座台は、マットレス又は椅子であることを特徴とする請求項１記載の気圧マッサージ及び排気機能付き充気式寝座台の構造。
【請求項３】
上記噴出孔は、レーザーで熔かして形成されることを特徴とする請求項１又は２記載の気圧マッサージ及び排気機能付き充気式寝座台の構造。
【請求項４】
上記噴出孔は、上記空気袋の上端面袋壁中央に設置され、又は中央以外の場所に設置されることを特徴とする請求項１乃至３いずれか一項記載の気圧マッサージ及び排気機能付き充気式寝座台の構造。
【発明の詳細な説明】
【０００１】
【発明の属する技術分野】
本発明は、気圧マッサージ及び排気機能付き充気式寝座台の構造に係り、特に、空気袋の袋壁上に噴出孔を有する気圧マッサージ及び排気機能付き充気式寝座台の構造に関するものである。
【０００２】
【従来の技術】
従来、充気式の寝座台（例：マットレス、椅子等）は、体積の伸縮性と極めて優れた柔軟性とを有し、広く使われるようになっている。この種の充気式の寝座台の従来の構造は、一般的には充気及び排気の機能を有するのみで、関係業界では改良が進められており、各種の新機能の充気式寝座台が開発されている。例えば、数個の空気袋を設置した空間形態設計で、別々に充気でき、更に充気と逆方向に快速排気ができるものや、充気式寝座台表面に起伏変化ができるものや、角度を変えられるもの等の新機能を具備するものが開発されている。
【０００３】
【発明が解決しようとする課題】
しかしながら、従来の充気式の寝座台において、一般的な使用だけでなく、病人用ベッドのマットレスとして使用する時、病人が長時間マットレスの上に横たわる為、マットレスの透気性のよいことが非常に重要となっている。現在関係業界では、すでに振動マッサージ及び排気散熱機能を具備する構造のマットレスが研究開発されているが、上記振動マッサージ及び排気散熱を具備するマットレスは複雑な機械装置（例：駆動軸、操作ハンドル、鋼索、空気チャック等を含む）によって、上記機能を達成しており、生産業者としては、組み立てに時間がかかり、諸々の部品の保存及び管理にコストがかかるため、価格が高くなり、業者及び消費者の双方にとって不利益をもたらしているという問題点があった。
【０００４】
よって、本発明は、上記の問題点を解決し、簡単な設計の改良で、排気散熱及び振動マッサージの効果を具備することができ、生産コストを下げることができる気圧マッサージ及び排気機能付き充気式寝座台を提供することを目的とする。
【０００５】
【課題を解決するための手段】
上記課題を解決するため、本発明は、請求項１に記載されるように、１つの充気式寝座台と上記充気式寝座台内に配列設置した複数の空気袋とを有し、上記空気袋は、空気注入装置に連結する空気注入管を具備し、コントローラーにより、上記空気注入装置のスイッチをコントロールし、上記空気袋の充気状態をコントロールし、上記空気袋は、袋壁上に噴出孔を有する構成とされる。
【０００６】
このような気圧マッサージ及び排気機能付き充気式寝座台の構造では、１つの充気式寝座台内に配列設置した複数の空気袋は、空気注入装置に連結する空気注入管を具備し、コントローラーにより空気注入装置のスイッチをコントロールし、また、空気袋の充気状態をコントロールし、空気袋は、袋壁上に噴出孔を有することにより、簡単な設計の改良で、排気散熱及び振動マッサージの効果を具備することができ、生産コストを下げることができる。
【０００７】
また、本発明は、請求項２に記載されるように、上記充気式寝座台は、マットレス又は椅子である構成としてもよい。
【０００８】
このような気圧マッサージ及び排気機能付き充気式寝座台の構造では、充気式寝座台はマットレス又は椅子であることにより、簡単な設計の改良で、排気散熱及び振動マッサージの効果を具備するマットレスや椅子を提供することができる。
【０００９】
また、本発明は、請求項３に記載されるように、上記噴出孔は、レーザーで熔かして形成される構成としてもよい。
【００１０】
このような気圧マッサージ及び排気機能付き充気式寝座台の構造では、噴出孔がレーザーで熔かして形成されることにより、圧力を受けても裂けにくく、穴の大きさ（孔径）も針の穴ぐらいの小さな穴にすることができる。
【００１１】
また、本発明は、請求項４に記載されるように、上記噴出孔は、上記空気袋の上端面袋壁中央に設置され、又は中央以外の場所に設置される構成としてもよい。
【００１２】
このような気圧マッサージ及び排気機能付き充気式寝座台の構造では、噴出孔が空気袋の上端面袋壁中央に設置され、又は中央以外の場所に設置されることにより、圧力を受けても裂けにくく、簡単な設計の改良で、排気散熱及び振動マッサージの効果を具備することができる。
【００１３】
以下に添付図面を参照して本発明のある好適な実施の形態を詳細に説明するが、それらの構成は本発明の構造の絶対的な制限にならない。
【００１４】
【発明の実施の形態】
以下、図を参照して本発明の気圧マッサージ及び排気機能付き充気式寝座台の構造を説明する。図１は、本考案の一実施例に係る充気式寝座台の内部と各構成を示す斜視図である。図２は、本考案の一実施例に係る充気式寝座台の内部構造の一部を示す斜視図である。図３は、本発明の空気袋の未充満状態を示す断面図である。図１、２、３は本考案の気圧マッサージ及び排気機能付き充気式寝座台の構造を示す実施例で、主に１つの充気式寝座台１０（充気式寝座台１０はマットレスでもよく椅子でもよい）と、充気式寝座台１０内に配列設置した複数の空気袋２０とで構成されている。空気袋２０は、空気注入装置３０に連結する空気注入管２１を具備し（例えば：ポンプ）、コントローラー３１により、空気注入装置３０のスイッチをコントロールし、空気袋２０の充気状態をコントロールすることができる。
【００１５】
主な特徴は、空気袋２０は袋壁上に噴出孔２２を有し、噴出孔２２は空気袋２０の上端面袋壁中央に設置されるのが最もよく、噴出孔２２はレーザーで熔かして形成することにより、圧力を受けても裂けにくく、穴の大きさ（孔径）も針の穴ぐらいの小さな穴にすることができる。
【００１６】
図４は、本発明の空気袋内部が充満状態になり、空気が噴出孔より勢いよく噴出する状態を示す断面図である。噴出孔２２を具備する空気袋２０に空気注入する時、図３が示す如く、噴出孔２２の孔径は相当に小さく、排気の速度が充気の速度より遅いので、空気袋２０を徐々に充満状態にさせることができる。この時、内部は気圧が徐々に大きくなる為、噴出孔２２より勢いよく噴出する。図４に示すように、噴出孔２２より噴出する空気は拡散しながら、充気式寝座台１０の表面より排出する。この時、充気式寝座台１０上に使用者が横たわる時、気体の散出により、涼しさを感じることができるとともに、充気式寝座台１０の散熱の目的を達成することができる。従って、上記構造の空気袋２０により充気式寝座台１０の散熱の目的を達成することができ、更に、他の器具を設置する必要がなくなる。
【００１７】
また、噴出孔２２が継続的に気体が漏れ出している時、空気注入装置３０の充気動作は継続的ではなく、間隔を開けて充気する為、小さな振動が起き、充気式寝座台１０上にいる使用者は一種の振動マッサージの効果を感じることができる。従って、空気袋２０自体により振動マッサージ効果を達成することができ、更に、他の器具を設置する必要がなくなることにより、本考案の空気袋２０の袋壁上に噴出孔２２を有するという改良設計により、排気散熱及び振動マッサージの効果を具備することができる。
【００１８】
従って、本発明の充気式寝座台は、空気袋２０の袋壁上に噴出孔２２を有する構造形態を提供することにより、排気散熱及び振動マッサージの効果を具備することができる。
【００１９】
また、本発明の充気式寝座台は、噴出孔２２を有することにより、排気散熱及び振動マッサージの効果を具備することができ、他の器具を設置する必要がないため、生産コストを下げることができる。
【００２０】
尚、上記気圧マッサージ及び排気機能付き充気式寝座台の構造は具体例を示しており、本発明は上記構成に限定されることなく、本発明に類似する範囲での改良、修正された構造は本発明の権利範囲内である。
【００２１】
【発明の効果】
このような気圧マッサージ及び排気機能付き充気式寝座台の構造において、結合装置を経由して、着脱可能なように凧の第一面に取り付けられた冷光板と、冷光板からの様々な光の放射を駆動させるマイクロプロセッサーと、様々な光の放射の駆動を切替えるスイッチとを有する回路基板とで構成されることにより、辺りが暗い時にも凧を容易に探したり、注目を集めることができる。
【図面の簡単な説明】
【図１】本考案の一実施例に係る充気式寝座台の内部と各構成を示す斜視図である。
【図２】本考案の一実施例に係る充気式寝座台の内部構造の一部を示す斜視図である。
【図３】本発明の空気袋の未充満状態を示す断面図である。
【図４】本発明の空気袋内部が充満状態になり、空気が噴出孔より勢いよく噴出する状態を示す断面図である。
【符号の簡単な説明】
１０              充気式寝座台
２０              空気袋
２１              空気注入管
２２              噴出孔
３０              空気注入装置
３１              コントローラー
【図１】
2005006730.tif 000003
【図２】
2005006730.tif 000004
【図３】
2005006730.tif 000005
【図４】
2005006730.tif 000006